(57)【要約】【課題】曳航船を漁場まで迅速に移動させることができるとともに、曳航時に生簀網の定形性を確保することができる曳航生簀を提供すること。【解決手段】本発明の曳航生簀１Ａは、生簀網２、生簀網２を曳航船に接続する曳航ロープ８、複数の第１の浮子３およびロープ状沈子７とを備える。複数の第１の浮子３は、曳航方向ＴＤの直交方向にそれぞれ延在しており、曳航方向ＴＤに一定間隔に配列されて生簀網２の上面２ｄにそれぞれ着設されている。したがって、漁場到着前には曳航生簀１Ａをその曳航方向ＴＤおよび深さ方向ＤＤに収縮させて折りたたむことができ、曳航時には、曳航張力、第１の浮子３の張力および沈子７の重力により、生簀網２を所望の形状に伸張させることができる。【選択図】図１
2008054648.tif 000002
【特許請求の範囲】
【請求項１】
捕獲した魚の周囲を囲繞する生簀網と、
前記生簀網の曳航方向前方を曳航船に接続する曳航ロープと、
前記曳航方向の直交方向にそれぞれ延在しており、前記曳航方向に一定間隔に配列されているとともに、前記生簀網の上面にそれぞれ着設されている複数の第１の浮子と、
前記生簀網の下面周縁に着設されている１個または２個以上の沈子と
を備えていることを特徴とする曳航生簀。
【請求項２】
前記曳航ロープおよび前記曳航方向前方に配列された前記第１の浮子ならびに配列された複数の前記第１の浮子の間を前記曳航方向にそれぞれ接続する１列または２列以上の形状保持ロープを備えている
ことを特徴とする請求項１に記載の曳航生簀。
【請求項３】
前記生簀網の曳航方向後方に接続されているシーアンカーを備えている
ことを特徴とする請求項１または請求項２に記載の曳航生簀。
【請求項４】
前記生簀網は、１の対角長さを他の対角長さよりも長くして得た丸角六角形状に形成された前記上面および前記下面の長手方向を前記曳航方向とする丸角六角柱状に形成されている
ことを特徴とする請求項１から請求項３のいずれか１項に記載の曳航生簀。
【請求項５】
前記曳航方向に延在しているとともに、前記曳航方向に対向する複数の前記第１の浮子の各端部の間にそれぞれ配設されている複数の第２の浮子と、
前記第１の浮子の各端部および前記第２の浮子の両端を旋回自在に連結させる連結拘束具と
を備えていることを特徴とする請求項１から請求項４のいずれか１項に記載の曳航生簀。
【請求項６】
前記連結拘束具は、前記第１の浮子の各端部および前記第２の浮子の両端にそれぞれ取り付けられている連結具と、前記連結具の端部に環状に形成された各々の連結リングを互いに旋回自在に拘束させる２種の拘束具のうちのいずれか１種の拘束具とを有しており、
前記第２の浮子の一端に取り付けられた前記連結具の連結リングは、環状に形成された前記拘束具を用いて、一方の前記第１の浮子の端部に取り付けられた前記連結具の連結リングに接続されており、
前記第２の浮子の他端に取り付けられた前記連結具の連結リングは、前記生簀網の深さ方向の長さと同等の長さを有するロープ状に形成された前記拘束具の一端に接続されており、
前記ロープ状に形成された拘束具の他端は、他方の前記第１の浮子の端部に取り付けられた前記連結具の連結リングを通して前記沈子に接続されている
ことを特徴とする請求項５に記載の曳航生簀。
【請求項７】
前記第１の浮子は、１本の樹脂製パイプまたは継手を用いて連結された複数本の樹脂製パイプを用いて形成されている
ことを特徴とする請求項１から請求項６のいずれか１項に記載の曳航生簀。
【請求項８】
前記第２の浮子は、１本の樹脂製パイプまたは継手を用いて連結された複数本の樹脂製パイプを用いて形成されている
ことを特徴とする請求項５から請求項７のいずれか１項に記載の曳航生簀。
【請求項９】
前記生簀網は、開閉自在に形成されている開口部を有している
ことを特徴とする請求項１から請求項８のいずれか１項に記載の曳航生簀。
【請求項１０】
前記第１の浮子および前記沈子は、前記生簀網を吊上げるために使用される吊上げロープに接続されている
ことを特徴とする請求項１から請求項９のいずれか１項に記載の曳航生簀。
【発明の詳細な説明】
【技術分野】
【０００１】
本発明は、曳航生簀に係り、特に、まき網漁法により捕獲したマグロやカジキなどの大型魚を活魚のまま漁港まで輸送させるために好適に利用することができる曳航生簀に関する。
【背景技術】
【０００２】
従来より、まき網漁法により捕獲したマグロやカジキなどの大型魚を活魚のまま漁港や養殖場所まで輸送する手段として、主に２つの輸送方法が知られている。１つ目の輸送方法は、活魚運搬船の内部に配設された水槽に捕獲した魚を入れて輸送する方法である。
【０００３】
２つ目の輸送方法は、曳航船に取り付けられた曳航生簀に捕獲した魚を入れて輸送する方法である。従来の曳航生簀１０１は、図１３に示すように、直方形状に形成された生簀網１０２の上面１０２ａの周縁に四角枠状に配列された複数の樽状浮子１０３を着設するとともに、生簀網１０２の深さ方向に沈子１０７を釣り下げて形成されており、その生簀網１０２の前方に取付けられた曳航ロープ１０８を曳航船１２０に接続することにより、曳航船１２０に曳航される。
【０００４】
曳航生簀１０１を用いて魚１２１を輸送する場合、曳航生簀１０１の生簀網１０２の容積が活魚運搬船（図示せず）の水槽の容積よりも大きいことから、魚の収容量が活魚運搬船を用いて魚１２１を輸送する場合の魚の収容量よりも多くなるというメリットがある。
【０００５】
【特許文献１】特開２００２−３６０１１２号公報
【発明の開示】
【発明が解決しようとする課題】
【０００６】
しかしながら、曳航船１２０の移動時においては、曳航生簀１０１が流水抵抗になるので、港湾から漁場までの移動時間が活魚運搬船による移動時間よりも長くなってしまい、曳航船１２０が漁場まで迅速に移動できないという問題があった。
【０００７】
また、樽状浮子１０３は生簀網１０２を曳航方向ＴＤの直交方向に保持する力を有していないので、曳航船１２０の移動時においては、曳航生簀１０１の曳航による潮流により生簀網１０２が曳航方向ＴＤの直交方向につぶれた形状になってしまい、生簀網１０２の容積が小さくなってしまうという問題があった。生簀網１０２の容積が小さくなると、捕獲した魚１２１が相互にぶつかってしまい、死滅する原因となるので、捕獲した魚１２１を活魚のまま輸送する目的を達成し得ない。
【０００８】
そこで、本発明はこれらの点に鑑みてなされたものであり、曳航船を漁場まで迅速に移動させることができるとともに、曳航時に生簀網の定形性を確保することができる曳航生簀を提供することを本発明の目的としている。
【課題を解決するための手段】
【０００９】
前述した目的を達成するため、本発明の曳航生簀は、その第１の態様として、捕獲した魚の周囲を囲繞する生簀網と、生簀網の曳航方向前方を曳航船に接続する曳航ロープと、曳航方向の直交方向にそれぞれ延在しており、曳航方向に一定間隔に配列されているとともに、生簀網の上面にそれぞれ着設されている複数の第１の浮子と、生簀網の下面周縁に着設されている１個または２個以上の沈子とを備えていることを特徴としている。
【００１０】
本発明の第１の態様の曳航生簀によれば、生簀網の形状は、その曳航方向の直交方向にのみ第１の浮子の張力によって固定されており、その曳航方向および深さ方向に固定されていないので、漁場到着前においては曳航生簀をその曳航方向および深さ方向に収縮させて折りたたんで曳航船内に保管することができる。また、漁場到着後に曳航生簀を着水させて曳航する際においては、曳航生簀を曳航方向に曳航して得られる張力、第１の浮子の張力および沈子の重力を利用することにより、生簀網の曳航方向、その直交方向および深さ方向の形状を所望の形状に伸張させることができる。
【００１１】
本発明の第２の態様の曳航生簀は、第１の態様の曳航生簀において、曳航ロープおよび曳航方向前方に配列された第１の浮子ならびに配列された複数の第１の浮子の間を曳航方向にそれぞれ接続する１列または２列以上の形状保持ロープを備えていることを特徴としている。
【００１２】
本発明の第２の態様の曳航生簀によれば、形状保持ロープが曳航ロープから得た曳航方向への張力を各々の第１の浮子に付与することができる。そのため、曳航船の曳航速度が速くなったとしても、第１の浮子がその曳航時に潮流の抵抗を受けて湾曲することにより、生簀網の容積が減少したり、第１の浮子がその湾曲により破損したりすることを防止することができる。
【００１３】
本発明の第３の態様の曳航生簀は、第１または第２の態様の曳航生簀において、生簀網の曳航方向後方に接続されているシーアンカーを備えていることを特徴としている。
【００１４】
本発明の第３の態様の曳航生簀によれば、生簀網の曳航方向後方において張力が曳航方向の前方から後方へ付与されるので、潮流により変形しやすい生簀網の曳航方向後方においても生簀網の形状を所望の形状に伸張させることができる。
【００１５】
本発明の第４の態様の曳航生簀は、第１から第３のいずれか１の態様の曳航生簀において、１の対角長さを他の対角長さよりも長くして得た丸角六角形状に形成された上面および下面の長手方向を曳航方向とする丸角六角柱状に形成されていることを特徴としている。
【００１６】
本発明の第４の態様の曳航生簀によれば、生簀網における曳航方向前面の投影面積が小さくなるので、流水抵抗が小さくなる。したがって、生簀網に加わる水圧が小さくなるので、曳航生簀の曳航速度を速くすることができるとともに、生簀網の定形性を保持しやすくなる。
【００１７】
本発明の第５の態様の曳航生簀は、第１から第４のいずれか１の態様の曳航生簀において、曳航方向に延在しているとともに曳航方向に対向する複数の第１の浮子の各端部の間にそれぞれ配設されている複数の第２の浮子と、第１の浮子の各端部および第２の浮子の両端を旋回自在に連結させる連結拘束具とを備えていることを特徴としている。
【００１８】
本発明の第５の態様の曳航生簀によれば、第１の浮子および第２の浮子を組み合わせて得た一群の浮子がはしご状に形成されるので、生簀網の形状を保持する張力が曳航方向に付与されないとき、すなわち微潮流時や曳航船の停留時においても、生簀網の曳航方向、その直交方向および深さ方向の形状を所望の形状に伸張させることができる。また、第１の浮子および第２の浮子は旋回自在に連結されているので、第１の浮子に対して第２の浮子を約９０度旋回させることにより、漁場到着前（曳航生簀の着水前）においては当該一群の浮子をその曳航方向に収縮させて折りたたむことができる。
【００１９】
本発明の第６の態様の曳航生簀は、第１から第５のいずれか１の態様の曳航生簀において、連結拘束具は、第１の浮子の各端部および第２の浮子の両端にそれぞれ取り付けられている連結具と、連結具の端部に環状に形成された各々の連結リングを互いに旋回自在に拘束させる２種の拘束具のうちのいずれか１種の拘束具とを有しており、第２の浮子の一端に取り付けられた連結具の連結リングは、環状に形成された拘束具を用いて、一方の第１の浮子の端部に取り付けられた連結具の連結リングに接続されており、
第２の浮子の他端に取り付けられた連結具の連結リングは、生簀網の深さ方向の長さと同等の長さを有するロープ状に形成された拘束具の一端に接続されており、ロープ状に形成された拘束具の他端は、他方の第１の浮子の端部に取り付けられた連結具の連結リングを通して沈子に接続されていることを特徴としている。
【００２０】
本発明の第６の態様の曳航生簀によれば、第２の浮子の一端は曳航生簀の着水前後においても変化なく旋回自在に拘束される。それに対し、第２の浮子の他端は、曳航生簀の着水後においては、ロープ状の拘束具が沈子の重さを利用して第１の浮子の端部に取り付けられた連結具の連結リングを通りながら深さ方向に引っ張られて第１の浮子の一端に拘束された状態に自動的に組立てられる。また、この第２の浮子の他端は、曳航生簀の着水前においては、生簀網が深さ方向に収縮して折りたたまれることにより沈子の重さを利用してロープ状の拘束具を引っ張ることができないので、第２の浮子の他端は第１の浮子の一端から解放される。これにより、曳航生簀の着水前においては第２の浮子の一端を第１の浮子の一端から解放し、曳航生簀を小さく折りたたみ易くすることができる。
【００２１】
本発明の第７の態様の曳航生簀は、第１から第６のいずれか１の態様の曳航生簀において、第１の浮子は、１本の樹脂製パイプまたは継手を用いて連結された複数本の樹脂製パイプを用いて形成されていることを特徴としている。
【００２２】
本発明の第７の態様の曳航生簀によれば、第１の浮子を軽量にすることにより、曳航生簀を折りたたむ作業性を向上させることができるとともに、折りたたんだ曳航生簀を容易に運搬することができる。
【００２３】
本発明の第８の態様の曳航生簀は、第５から第７のいずれか１の態様の曳航生簀において、第２の浮子は、１本の樹脂製パイプまたは継手を用いて連結された複数本の樹脂製パイプを用いて形成されていることを特徴としている。
【００２４】
本発明の第８の態様の曳航生簀によれば、第２の浮子を軽量にすることにより、曳航生簀を折りたたむ作業性を向上させることができるとともに、折りたたんだ曳航生簀を容易に運搬することができる。
【００２５】
本発明の第９の態様の曳航生簀は、第１から第８のいずれか１の態様の曳航生簀において、生簀網は、開閉自在に形成されている開口部を有していることを特徴としている。
【００２６】
本発明の第９の態様の曳航生簀によれば、開口部を閉じることにより開口部から魚が生簀網から逃げ出すことを防止することができるので、開口部の形状や大きさを自由に変更して、捕獲した魚をまき網の漁網から生簀網に効率良く移すことができる。
【００２７】
本発明の第１０の態様の曳航生簀は、第１から第９のいずれか１の態様の曳航生簀において、第１の浮子および沈子は、生簀網を吊上げるために使用される吊上げロープに接続されていることを特徴としている。
【００２８】
本発明の第１０の態様の曳航生簀によれば、生簀網の骨組みとなる第１の浮子および生簀網を深さ方向に引っ張る沈子を上方に持ち上げながら曳航生簀を吊上げることができる。
【発明の効果】
【００２９】
本発明の曳航生簀によれば、漁場までの移動の際においては、曳航生簀を折りたたみ、曳航船内に保管して運搬することができる。また、曳航生簀の曳航時においては、曳航生簀を着水させ、または曳航することにより、生簀網の曳航方向、その直交方向および深さ方向の形状を所望の形状に伸張させることができるので、生簀網を所望の形状に固定することができる。そのため、曳航船を漁場まで迅速に移動させることができるとともに、捕獲魚を活魚のまま迅速に大量輸送することができるという効果を奏する。
【００３０】
また、本発明の曳航生簀によれば、曳航生簀を小さく折りたたんで漁場まで運搬することができるので、曳航生簀の大きさを従来よりも大きくしたとしても、漁場までの移動時間は変わらない。そのため、従来よりも曳航生簀の容積を大きくしたとしても、輸送効率を落とさずに魚の収容量を多くすることができるという効果を奏する。
【００３１】
さらに、本発明の曳航生簀によれば、開口部の形状および大きさを自由に設計することができるので、捕獲した魚をまき網の漁網から生簀網に移すための時間が短くなり、まき網船団の滞留時間が短くなるので、生簀網へ魚の移動を終えたまき網船団が次の漁場に迅速に移動を開始することができるという効果を奏する。
【発明を実施するための最良の形態】
【００３２】
以下、本発明の曳航生簀の２つの実施形態を説明する。
【００３３】
はじめに、図１から図７を用いて、第１の実施形態の曳航生簀を説明する。図１は、第１の実施形態の曳航生簀を示す全体斜視図である。また、図２は、第１の実施形態の曳航生簀の平面図を示しており、図３は、第１の実施形態の曳航生簀の側面図を示している。
【００３４】
第１の実施形態の曳航生簀１Ａは、図１に示すように、生簀網２、複数の第１の浮子３、沈子７および曳航ロープ８を備えている。
【００３５】
生簀網２は、図１から図３に示すように、捕獲した魚（図示せず）の周囲を囲繞するため、可撓性の魚網を用いて形成されている。この形状は、立方形状、直方形状、多角柱状、球形状、楕円形ボール状など様々な形状を選択することができる。第１の実施形態の生簀網２においては、図１に示すように、１の対角長さを他の対角長さよりも長くして得た六角形状の上面２ｄおよび下面２ｅの長手方向を曳航方向ＴＤとする六角柱状に形成されており、その長手方向が６６ｍ、短手方向が２５ｍ、深さ方向ＤＤが１０ｍ程度の大きな容積となるように形成されている。さらに、潮流Ｔｉの抵抗を考慮すれば、この生簀網２は、正確な六角柱形状ではなく、角に丸みを帯びている丸角六角柱形状であることが好ましい。
【００３６】
また、この生簀網２は、図２および図３に示すように、上面２ｄの曳航方向ＴＤ後方付近もしくは側面を一部切断して形成された開口部２ａ１、２ａ２を有している。この開口部２ａ１、２ａ２には、開閉自在のファスナが取付けられている。この開口部２ａ１、２ａ２の大きさは、まき網漁法により捕獲した魚を生簀網２に移送させ易い程度の大きさまで大きく形成されている。
【００３７】
図４は、生簀網の曳航方向後方に着設された第１の浮子を示す部分斜視図である。また、図５は、第１の浮子に用いられる第１の連結具を示す斜視図であり、図６は、第１の浮子に用いられる第２の連結具を示す斜視図である。
【００３８】
第１の浮子３は、図４から図６に示すように、第１の実施形態において複数本の樹脂製パイプ３ｃとして用いられる４本もしくは２本の円筒状の高密度ポリエチレンパイプ、複数本の樹脂製パイプ３ｃの継手として用いられる第１の連結具１１および第１の浮子３の両端３ａ、３ｂに接続される第２の連結具１２を有している。この樹脂製パイプ３ｃの直径は２５０ｍｍ〜３１５ｍｍ、その長さは３ｍ程度となっており、その連結本数は生簀網２の幅寸法（曳航方向ＴＤの直交方向における生簀網２の長さ）に応じて決められる。第１の連結具１１は、図５に示すように、両端に円形状の差込口１１ｂ、１１ｃを有する円筒状に形成されており、その側面に半円環状の連結リング１１ａが複数個形成されている。第２の連結具１２は、図６に示すように、片端に円形状の差込口１２ｂを有する有底円筒状に形成されており、その側面側および差込口１２ｂを有しない他端側に半円環状の連結リング１２ａが複数個形成されている。
【００３９】
また、第１の浮子３は、図１、図２および図４に示すように、曳航方向ＴＤの直交方向にそれぞれ延在しており、生簀網２の上面２ｄにそれぞれ着設されている。この第１の浮子３は９本存在し、曳航方向ＴＤに一定間隔（例えば６ｍ間隔）に配列されている。
【００４０】
沈子７は、鉛を中空ロープに詰めて得た可撓性の沈子ロープであり、図１および図３に示すように、生簀網２の下面２ｅの周縁に沿って着設されている。この沈子７は、その下面２ｅの周縁に対して深さ方向ＤＤへの力を加えることができればよいので、他の実施形態においては、生簀網２の下面２ｅの周縁に沿って取付けられた複数の流線型鉛や鎖オモリであってもよい。
【００４１】
曳航ロープ８は、図１に示すように、生簀網２の上面２ｄおよび下面２ｅにおける曳航方向ＴＤの最前方頂点２ｂ、２ｃ、曳航方向ＴＤの前方から計数して第１番目の第１の浮子３１の両端３１ａ、３１ｂおよび第２番目の第１の浮子３２の両端３２ａ、３２ｂならびに生簀網２の下面２ｅの周縁上であって第２番目の第１の浮子３２の両端３２ａ、３２ｂの下方に位置する部分２ｆ（他方の部分は図示せず）にそれぞれ接続されている。また、この曳航ロープ８は、曳航生簀１Ａを曳航するため、曳航船（図示せず）に接続されている。
【００４２】
また、第１の実施形態の曳航生簀１Ａは、図１、図２および図４に示すように、その性能を向上させるため、前述の生簀網２、複数の第１の浮子３、沈子７および曳航ロープ８の他に、形状保持ロープ６、シーアンカー９および吊上げロープ１０を備えている。
【００４３】
形状保持ロープ６は、第１の実施形態においては直径１８ｍｍ程度の可撓性のポリプロピレン・ロープである。この形状保持ロープ６は、図１および図２に示すように、曳航方向ＴＤと平行方向に配列されており、曳航ロープ８の上面２ｄの側端部と曳航方向ＴＤの前方に配列された第１番目の第１の浮子３１とを曳航方向ＴＤに接続させている。また、この形状保持ロープ６は、図４に示すように、第１の浮子３に取付けられた各第１の連結具１１の間および各第２の連結具１２の間を曳航方向ＴＤにそれぞれ接続させている。形状保持ロープ６の配列数は生簀網２の大きさおよび潮流Ｔｉの抵抗に応じて選択することができる。第１の実施形態においては、生簀網２が大型であり、流水抵抗が大きくなりやすいことから、形状保持ロープ６は等間隔に５列配列されている。
【００４４】
シーアンカー９は、図１に示すように、生簀網２における曳航方向ＴＤの後端部の上方２ｇおよび下方２ｈに取り付けられている。このシーアンカー９は、パラシュート状に形成された布袋９ａおよびその布袋９ａに接続された接続ロープ９ｂにより形成されている。
【００４５】
吊上げロープ１０は、図４に示すように、曳航生簀１Ａの重さ以上の強度を有している複数のロープにより形成されており、第１の浮子３に係る樹脂製パイプ３ｃ、第１の連結具１１および第２の連結具１２にそれぞれ接続されている。また、この吊上げロープ１０は、第１の浮子３の両端３ａ、３ｂに接続された第２の連結具１２の連結リング１２ａを通って沈子７に接続されている。
【００４６】
次に、図１から図７を用いて、第１の実施形態の曳航生簀の作用を説明する。ここで、図７は、第１の実施形態の曳航生簀をその曳航方向および深さ方向に収縮させた状態を示す斜視図である。
【００４７】
第１の実施形態の曳航生簀１Ａにおいては、図１に示すように、生簀網２が可撓性の漁網を用いて形成されており、その生簀網２の曳航方向ＴＤの直交方向に９本の第１の浮子３が延在して着設されている。したがって、生簀網２の形状は、その曳航方向ＴＤの直交方向にのみ第１の浮子３の張力によって固定されており、その曳航方向ＴＤおよび深さ方向ＤＤに固定されていない。そのため、港湾から漁場到着までの移動においては、図７に示すように、曳航生簀１Ａをその曳航方向ＴＤおよび深さ方向ＤＤに収縮させて折りたたんで曳航船内に保管することができる。
【００４８】
また、第１の実施形態の曳航生簀１Ａにおいては、曳航方向ＴＤに曳航する曳航ロープ８が生簀網２の曳航方向ＴＤの前方に取付けられているとともに、沈子７が生簀網２の下面２ｅの周縁に着設されている。したがって、漁場到着後に曳航生簀１Ａを着水させて曳航する際においては、第１の浮子３の張力の他に、曳航生簀１Ａを曳航方向ＴＤに曳航して得られる張力および沈子７の深さ方向への張力（重力）を利用して、生簀網２の曳航方向ＴＤ、その直交方向および深さ方向ＤＤに生簀網２を引っ張ることができる。そのため、第１の実施形態の曳航生簀１Ａにおいては、漁場から港湾までの移動においては、生簀網２の形状を収縮させずに所望の形状に伸張させることができる。
【００４９】
ここで、生簀網２は、図１から図３に示すように、開閉自在に形成されている開口部２ａ１、２ａ２を有しており、開口部２ａ１、２ａ２を閉じることにより開口部２ａ１、２ａ２から魚が生簀網２から逃げ出すことを防止することができる。そのため、開口部２ａ１、２ａ２の形状や大きさを自由に変更することができ、魚の移し替えに適した形状にすることができるので、捕獲した魚をまき網漁網から生簀網２に効率良く移し換えることができる。
【００５０】
また、この生簀網２は、その上面２ｄおよび下面２ｅの長手方向を曳航方向ＴＤとした丸角六角柱状に形成されているので、水圧に対する投影面積を少なくすることができる。これによって、生簀網２の曳航方向ＴＤの前面に生じる潮流Ｔｉの抵抗（水圧）を小さくすることができるので、曳航生簀１Ａの曳航速度を速くすることができる。また、生簀網２に加わる水圧が小さくなれば、生簀網２が曳航方向ＴＤの直交方向につぶれにくくなるので、生簀網２の定形性を保持しやすくなる。
【００５１】
さらに、この生簀網２は、その曳航方向ＴＤの後端部の上方２ｇおよび下方２ｈにシーアンカー９が取り付けられている。このシーアンカー９は、曳航生簀１Ａが曳航方向ＴＤに曳航されると、曳航方向ＴＤの反対方向に抗力を生じる。この抗力は接続ロープ９ｂを介して生簀網２の後端部の上方２ｇおよび下方２ｈに付与されるので、生簀網２の後端部の上方２ｇ、２ｈ付近に生簀網２の形状を乱すような潮流が生じたとしても、生簀網２の形状を所望の形状に伸張させることができる。
【００５２】
また、第１の浮子３は、図４から図６に示すように、４本もしくは２本の樹脂製パイプ３ｃを第１の連結具１１より連結して形成されている。そのため、第１の浮子３を軽量にすることができる。したがって、曳航生簀１Ａを折りたたむ際に、その作業性を向上させることができる。また、曳航生簀１Ａの軽量化に貢献することができ、折りたたんだ曳航生簀１Ａを容易に運搬することができる。
【００５３】
この第１の浮子３は、図１および図２に示すように、曳航方向ＴＤに一定間隔をもって９本配列されており、これら９本の第１の浮子３は曳航方向ＴＤの直交方向に延在している。そのため、曳航生簀１Ａの曳航速度が速くなると、第１の浮子３に加わる潮流抵抗が増大するので、第１の浮子３は曳航方向ＴＤに曲がりやすくなる。
【００５４】
したがって、第１の実施形態の曳航生簀１Ａにおいては、曳航方向ＴＤに延在する５列の形状保持ロープ６が、曳航ロープ８および第１番目の第１の浮子３１の間ならびに９本の第１の浮子３の間に、それぞれ接続されている。これにより、曳航ロープ８から得た曳航方向ＴＤへの張力が形状保持ロープ６を介して各々の第１の浮子３に付与されるので、曳航船の曳航速度が速くなったとしても、第１の浮子３がその曳航時に潮流Ｔｉの抵抗を受けて湾曲し、生簀網２の容積が減少したり、第１の浮子３がその湾曲により破損したりすることを防止することができる。
【００５５】
図４に示すように、このような第１の浮子３および沈子７には、生簀網２を吊上げるために使用される吊上げロープ１０が接続されている。これにより、生簀網２の骨組みとなる第１の浮子３とともに、生簀網２を深さ方向ＤＤに引っ張る沈子７を上方に持ち上げながら曳航生簀１Ａを吊上げることができるので、生簀網２がバランス良く吊上がり、生簀網２にできる限り負担をかけないようにすることができる。また、船上のクレーン（図示せず）によって吊上げロープ１０を介して生簀網２を吊上げつつ、海中への投入、海上からの揚網を行なうことができるので、投揚網作業も簡単なものとなる。
【００５６】
すなわち、第１の実施形態の曳航生簀１Ａによれば、漁場までの移動の際においては、曳航生簀１Ａを折りたたみ、曳航船内に保管して運搬することができる。また、曳航生簀１Ａの曳航時においては、曳航生簀１Ａを曳航することにより、生簀網２の曳航方向ＴＤ、その直交方向および深さ方向ＤＤの形状を所望の形状に伸張させることができるので、生簀網２を所望の形状に固定することができる。そのため、曳航生簀１Ａを折りたたんで曳航船を漁場まで迅速に移動させることができるとともに、着水させた生簀網２の形状を保持して捕獲魚を活魚のまま迅速に大量輸送することができるという効果を奏する。
【００５７】
また、第１の実施形態の曳航生簀１Ａによれば、曳航生簀１Ａを小さく折りたたんで漁場まで運搬することができるので、曳航生簀１Ａの大きさを従来よりも大きくしたとしても、漁場までの移動時間は変わらない。そのため、従来よりも曳航生簀の容積を大きくしたとしても、輸送効率をあまり落とさずに魚の収容量を多くすることができるという効果を奏する。
【００５８】
さらに、第１の実施形態の曳航生簀１Ａによれば、開口部２ａ１、２ａ２の形状および大きさを自由に設計することができるので、捕獲した魚をまき網の漁網から生簀網２に移すための時間が短くなり、まき網船団の滞留時間が短くなるので、生簀網２へ魚の移動を終えたまき網船団が次の漁場に迅速に移動を開始することができるという効果を奏する。
【００５９】
次に、図８から図１２を用いて、第２の実施形態の曳航生簀を説明する。図８は、第２の実施形態の曳航生簀を示す全体斜視図であり、図９は、第２の実施形態の曳航生簀を示す平面図である。
【００６０】
第２の実施形態の曳航生簀１Ｂは、図８に示すように、生簀網２、複数の第１の浮子３、複数の第２の浮子４、沈子７および曳航ロープ８を備えている。また、第２の実施形態の曳航生簀１Ｂは、その性能を向上させるため、それらの他に、形状保持ロープ６、シーアンカー９および吊上げロープ１０を備えている。第１の実施形態の曳航生簀１Ａと第２の実施形態の曳航生簀１Ｂとの相違点は、図８および図９に示すように、第２の浮子４および連結拘束具５が配設されているか否か、ならびに、図１０に示すように、吊上げロープ１０が第２の浮子４の所定の端部４ｂに取付けられているか否かである。
【００６１】
図１０は、生簀網の後方に着設された第１の浮子および第２の浮子を示す部分斜視図であり、図１１は、第２の浮子に用いられる第３の連結具を示す斜視図である。
【００６２】
第２の浮子４は、図８から図１０に示すように、曳航方向ＴＤに配列された９本の第１の浮子３の間であって、その曳航方向ＴＤにおいて対向するそれらの各端部３ａ、３ａおよび３ｂ、３ｂの間にそれぞれ配設されている。この第２の浮子４は、図１０に示すように、第１の浮子３の樹脂製パイプ３ｃと同様の樹脂製パイプ４ｃを１本用いて形成されており、曳航方向ＴＤに延在している。
【００６３】
また、この第２の浮子４は、連結拘束具５を用いることにより、第２の浮子４の両端４ａ、４ｂが第１の浮子３の各端部３ａ、３ａおよび３ｂ、３ｂに対して旋回自在となるように第１の浮子３の各端部３ａ、３ａおよび３ｂ、３ｂに連結されている。この連結拘束具５は、第２の浮子４の両端４ａ、４ｂに取付けられた第２の連結具１２もしくは第３の連結具１３のいずれか一方の連結具と、第１の浮子３の各端部３ａ、３ｂに取付けられた第２の連結具１２に対して第２の浮子４の両端４ａ、４ｂに取付けられた第２の連結具１２もしくは第３の連結具１３を旋回自在に拘束する２種の拘束具１４、１５のうちのいずれか１種の拘束具を有している。
【００６４】
第３の連結具１３は、図１１に示すように、片端に円形状の差込口１３ｂを有する有底円筒状に形成されており、その差込口１３ｂを有しない他端側に半円環状の連結リング１３ａが１個形成されている。拘束具１４、１５は、いずれも可撓性のポリプロピレン・ロープにより形成されており、その拘束態様および方法が第２の浮子４の各端部４ａ、４ｂによって異なっている。
【００６５】
第２の浮子４の一端４ａを拘束する拘束具（以下、「一端側拘束ロープ」という。）１４は、図１０に示すように、環状に締結されており、第２の浮子４の一端４ａ側に取り付けられた第３の連結具１３の連結リング１３ａを、一方の第１の浮子３の端部３ａ２、３ｂ２に取り付けられた第２の連結具１２の連結リング１２ａに接続させている。
【００６６】
また、第２の浮子４の他端４ｂを拘束する拘束具（以下、「他端側拘束ロープ」という。）１５は、図８および図１０に示すように、生簀網２の深さ方向ＤＤの長さに等しい長さに形成されており、その一端１５ａが第２の浮子４の他端４ｂに取り付けられた第２の連結具１２の連結リング１２ａに接続されている。また、この他端側拘束ロープ１５の他端１５ｂは、他方の第１の浮子３の端部３ａ１、３ｂ１に取り付けられた第２の連結具１２の連結リング１２ａを通って、沈子７に取り付けられている。
【００６７】
吊上げロープ１０は、図１０に示すように、第１の実施形態と同様、第１の浮子３および沈子７に接続されている。第２の実施形態においては、この吊上げロープ１０を沈子７の各部分に直接的に接続させているだけでなく、第１の連結具１１の連結リング１１ａを通して第２の浮子４の他端４ｂに取り付けられた第２の連結具１２の連結リング１２ａに吊上げロープ１０を取付けることにより、第２の浮子４の他端４ｂに取り付けられた第２の連結具１２および他端側拘束ロープ１５を介して、この吊上げロープ１０を沈子７の各部分に間接的に接続させている。
【００６８】
次に、図８から図１２を用いて、第２の実施形態の曳航生簀の作用、特に、第１の実施形態の曳航生簀と第２の実施形態の曳航生簀との相違点に係る作用を説明する。ここで、図１２は、第２の実施形態の曳航生簀をその曳航方向および深さ方向に収縮させた状態を示す斜視図である。
【００６９】
図８に示すように、第２の実施形態の曳航生簀１Ｂは、第１の実施形態の曳航生簀１Ａにおいて、第２の浮子４および連結拘束具５を備えている。この第２の浮子４は、図１１に示すように、曳航方向ＴＤに配列された第１の浮子３の各端部３ａ、３ａおよび３ｂ、３ｂの間に配設されており、連結拘束具５により第１の浮子３の各端部３ａ、３ａおよび３ｂ、３ｂに旋回自在に拘束されている。したがって、図１２に示すように、第１の浮子３に対して第２の浮子４を約９０度旋回させることにより、漁場到着前（曳航生簀１Ｂの着水前）においては当該一群の浮子をその曳航方向ＴＤに収縮させて折りたたむことができる。
【００７０】
また、この第２の浮子４は、連結拘束具５により第１の浮子３の各端部３ａ、３ａおよび３ｂ、３ｂに旋回自在に拘束されているので、図８および図９に示すように、第１の浮子３および第２の浮子４を組み合わせて得られる一群の浮子がはしご状に形成されることになる。これにより、曳航生簀１Ｂに係る曳航方向ＴＤへの折りたたみ性を害することなく、生簀網２の形状を保持する張力を曳航方向ＴＤに付与することができる。したがって、生簀網２の形状を保持する張力が曳航方向ＴＤに適切に付与されないとき、すなわち、曳航生簀１Ｂの曳航速度が遅いとき（微潮流時）や曳航生簀１Ｂを曳航していないとき（曳航船の停留時）においても、生簀網２の曳航方向ＴＤ、その直交方向および深さ方向ＤＤの形状を所望の形状に伸張させることができる。
【００７１】
前述の連結拘束具５は、図１０に示すように、第２の浮子４の両端４ａ、４ｂに取り付けられた第２の連結具１２の連結リング１２ａおよび第３の連結具１３の連結リング１３ａを、２種の拘束具１４、１５を用いて第１の浮子３の両端３ａ、３ｂに取付けられた第２の連結具１２の連結リング１２ａに拘束させている。第２の浮子４の一端４ａは、曳航生簀１Ｂの着水前後においても、環状の一端側拘束ロープ１４により、拘束性に変化を生じることなく、一方の第１の浮子３の端部３ａ２、３ｂ２に対して旋回自在に拘束される。
【００７２】
それに対し、第２の浮子４の他端４ｂは、曳航生簀１Ｂの着水前後において、他方の第１の浮子３の端部３ａ１、３ｂ１に対する拘束性が異なる。曳航生簀１Ｂの着水前においては、生簀網２が深さ方向ＤＤに収縮して折りたたまれているので、沈子７の重さを利用して他端側拘束ロープ１５を引っ張ることができない。したがって、曳航生簀１Ｂの着水前においては、他方の第１の浮子３の端部３ａ１、３ｂ１から第２の浮子４の他端４ｂを解放させることができる。
【００７３】
その一方、曳航生簀１Ｂの着水後においては、沈子７の重さを利用することにより、生簀網２の深さ方向ＤＤに他端側拘束ロープ１５を引っ張ることができる。この他端側拘束ロープ１５は他方の第１の浮子３の端部３ａ１、３ｂ１に取付けられた第２の連結具１２の連結リング１２ａを通っているので、他端側拘束ロープ１５が引っ張られると、第２の浮子４の他端４ｂは他方の第１の浮子３の端部３ａ１、３ｂ１に吸い付くように当接する。したがって、曳航生簀１Ｂの着水後においては、第２の浮子４の他端４ｂを他方の第１の浮子３の端部３ａ１、３ｂ１に対して旋回自在に拘束させることができるので、剛性部材である第１の浮子３および第２の浮子４によって矩形を形成し、曳航生簀１Ｂの形状保持力を高くすることができる。
【００７４】
これにより、曳航生簀１Ｂの着水後においては第２の浮子４の他端４ｂを他方の第１の浮子３の一端３ａ１、３ｂ１に旋回自在に拘束するが、曳航生簀１Ｂの着水前においては第２の浮子４の他端４ｂを他方の第１の浮子３の端部３ａ１、３ｂ１から解放することができるので、曳航生簀１Ｂを折りたたみ易くすることができる。
【００７５】
また、船上のクレーン（図示せず）によって吊上げロープ１０を介して生簀網２を吊上げつつ、海中への投入、海上からの揚網を行なうことができるので、投揚網作業も簡単なものとなる。特に、第２の実施形態においては、海中に曳航生簀１Ｂを投入する際に、クレーンから吊上げロープ１０をもって第１の浮子３および第２の浮子４とともに生簀網２全体を海中に着水させると、沈子７の重さにより、第２の浮子４を第１の浮子３の端部３ａ、３ａ間および３ｂ、３ｂ間に自動的に展張させて自動組立てさせることができる。
【００７６】
すなわち、第２の実施形態の曳航生簀１Ｂによれば、漁場までの移動の際においては、曳航生簀１Ｂを折りたたみ、曳航船内に保管して運搬することができる。また、曳航生簀１Ｂの曳航時においては、曳航生簀１Ｂを着水させることにより、生簀網２の曳航方向ＴＤ、その直交方向および深さ方向ＤＤの形状を所望の形状に伸張させることができるので、生簀網２を所望の形状に固定することができる。そのため、曳航船を漁場まで迅速に移動させることができるとともに、捕獲魚を活魚のまま迅速に大量輸送することができるという効果を奏する。
【００７７】
なお、本発明は、前述した実施形態などに限定されるものではなく、必要に応じて種々の変更が可能である。
【図面の簡単な説明】
【００７８】
【図１】第１の実施形態の曳航生簀を示す全体斜視図
【図２】第１の実施形態の曳航生簀を示す平面図
【図３】第１の実施形態の曳航生簀を示す側面図
【図４】生簀網の曳航方向後方に着設された第１の浮子を示す部分斜視図
【図５】第１の実施形態の第１の連結具を示す斜視図
【図６】第１の実施形態の第２の連結具を示す斜視図
【図７】第１の実施形態の曳航生簀をその曳航方向および深さ方向に収縮させた状態を示す斜視図
【図８】第２の実施形態の曳航生簀を示す全体斜視図
【図９】第２の実施形態の曳航生簀を示す平面図
【図１０】生簀網の後方に着設された第１の浮子および第２の浮子を示す部分斜視図
【図１１】第２の実施形態に用いられる第３の連結具を示す斜視図
【図１２】第２の実施形態の曳航生簀をその曳航方向および深さ方向に収縮させた状態を示す斜視図
【図１３】従来の曳航生簀を示す全体斜視図
【符号の説明】
【００７９】
１Ａ、１Ｂ  曳航生簀
２  生簀網
３  第１の浮子
４  第２の浮子
５  連結拘束具
７  沈子
８  曳航ロープ
【図１】
2008054648.tif 000003
【図２】
2008054648.tif 000004
【図３】
2008054648.tif 000005
【図４】
2008054648.tif 000006
【図５】
2008054648.tif 000007
【図６】
2008054648.tif 000008
【図７】
2008054648.tif 000009
【図８】
2008054648.tif 000010
【図９】
2008054648.tif 000011
【図１０】
2008054648.tif 000012
【図１１】
2008054648.tif 000013
【図１２】
2008054648.tif 000014
【図１３】
2008054648.tif 000015